(57)【要約】有機ＥＬ素子（ＯＥＬ）を備えた複数の発光画素（Ｐ）を有する有機ＥＬパネル（１０）を備えた有機ＥＬ表示装置の製造方法であって、複数の発光画素（Ｐ）のうちの一部に設定された点灯対象画素（Ｐ１）を点灯させ、撮像装置（４０）を用いて有機ＥＬパネル（１０）を撮影し、撮像装置（４０）から撮像画像を受け付け、撮像画像を用いて点灯対象画素（Ｐ１）の検出を行い、点灯対象画素（Ｐ１）の検出結果を用いて、点灯対象画素（Ｐ１）に検出できない非検出画素が含まれるか否かを判定し、非検出画素が含まれると判定された場合に、非検出画素の発光量を検出される発光量となるように増大させ、点灯対象画素（Ｐ１）の検出結果を用いて、有機ＥＬ表示装置と撮像装置（４０）との相対位置を合わせる。
2015056365.tif 000002
【特許請求の範囲】
【請求項１】
発光素子を備えた複数の発光画素を有する表示パネルを備えた有機ＥＬ表示装置の製造方法であって、
前記複数の発光画素のうちの一部に設定された点灯対象画素を点灯させるステップと、
撮像装置を用いて前記表示パネルを撮影し、前記撮像装置から撮像画像を受け付けるステップと、
前記撮像画像を用いて前記点灯対象画素の検出を行うステップと、
前記点灯対象画素の検出結果を用いて、前記点灯対象画素に、検出できない非検出画素が含まれるか否かを判定するステップと、
前記非検出画素が含まれると判定された場合に、前記点灯対象画素の検出を行うステップにおいて検出される発光量となるように前記非検出画素の発光量を増大させるステップと、
前記点灯対象画素の前記検出結果を用いて、前記有機ＥＬ表示装置と前記撮像装置との相対位置を合わせるステップとを含む
有機ＥＬ表示装置の製造方法。
【請求項２】
前記点灯対象画素を点灯させるステップでは、前記表示パネルの四隅に位置する４つの第一発光画素に加え、前記表示パネルの外周以外に位置する発光画素を追加の点灯対象画素として設定する
請求項１に記載の有機ＥＬ表示装置の製造方法。
【請求項３】
前記点灯対象画素を点灯させるステップでは、前記表示パネルの大きさよりも小さい長方形を前記表示パネルの中央に設定した場合に、前記長方形の四隅の少なくとも何れか１点に位置する第二発光画素を前記追加の点灯対象画素として設定する
請求項２に記載の有機ＥＬ表示装置の製造方法。
【請求項４】
前記点灯対象画素を点灯させるステップでは、前記表示パネルに十字を設定した場合に、前記十字上に位置する任意の第三発光画素を前記追加の点灯対象画素として設定する
請求項２または３に記載の有機ＥＬ表示装置の製造方法。
【請求項５】
前記判定するステップでは、前記撮像画像における輝度値が所定の閾値以下である点灯対象画素を、前記非検出画素であると判定する
請求項１〜４の何れか１項に記載の有機ＥＬ表示装置の製造方法。
【請求項６】
前記非検出画素の発光量を増大させるステップでは、前記非検出画素の輝度値を予め定められた一定量増加させ、
前記判定するステップにおいて前記非検出画素がないと判定されるまで、前記発光量を増大させるステップと前記撮像画像を受け付けるステップと前記点灯対象画素を検出するステップと判定するステップとをこの順に繰り返し実行する
請求項１〜５の何れか１項に記載の有機ＥＬ表示装置の製造方法。
【請求項７】
前記相対位置を合わせるステップは、前記判定するステップにおいて前記非検出画素がないと判定された後に実行する
請求項６に記載の有機ＥＬ表示装置の製造方法。
【請求項８】
前記相対位置を合わせるステップでは、前記撮像画像において前記点灯対象画素が実際に検出された位置と、前記撮像画像における前記点灯対象画素の検出されるべき位置との間のずれ量が、前記点灯対象画素全体で最小となるように、前記相対位置を決定する
請求項１〜７の何れか１項に記載の有機ＥＬ表示装置の製造方法。
【請求項９】
さらに、
前記非検出画素の発光量を増大させるステップにおいて発光量が最大値まで増大された後に、前記判定するステップにおいて検出できないと判定された前記非検出画素について、代理の点灯対象画素を設定するステップを含み、
前記代理の点灯対象画素に対し、前記発光量を増大させるステップと前記撮像画像を受け付けるステップと前記点灯対象画素を検出するステップと判定するステップとを実行する
請求項１〜８の何れか１項に記載の有機ＥＬ表示装置の製造方法。
【請求項１０】
発光素子を備えた複数の発光画素を有する表示パネルを備えた有機ＥＬ表示装置の検査装置であって、
前記複数の発光画素のうちの一部に設定された点灯対象画素を点灯させる信号生成部と、
撮像装置を用いて前記表示パネルを撮影し、前記撮像装置から撮像画像を受け付ける撮像部と、
前記撮像画像を用いて前記点灯対象画素の検出を行い、前記点灯対象画素の検出結果を用いて、前記点灯対象画素に、検出できない非検出画素が含まれるか否かを判定する点灯対象画素検出部と、
前記点灯対象画素の前記検出結果を用いて、前記有機ＥＬ表示装置と前記撮像装置との相対位置を合わせるアライメント部とを備え、
前記信号生成部は、前記点灯対象画素検出部において前記非検出画素が含まれると判定された場合に、前記点灯対象画素検出部において検出される発光量となるように前記非検出画素の発光量を増大させる
有機ＥＬ表示装置の検査装置。
【発明の詳細な説明】
【技術分野】
【０００１】
本開示は、有機エレクトロルミネッセンス（ＥＬ）表示装置の製造方法および検査装置に関する。
【背景技術】
【０００２】
電流駆動型の発光素子を用いた画像表示装置として、有機ＥＬ素子を用いた有機ＥＬディスプレイ（有機ＥＬ表示装置）が知られている。この有機ＥＬディスプレイは、視野角特性が良好で、消費電力が少ないという利点を有する。有機ＥＬディスプレイは、一般的に、行列状に配置された複数の発光画素を備えている。発光画素は、有機ＥＬ素子、有機ＥＬ素子を駆動する駆動トランジスタ、発光画素の選択および非選択を切り替える選択トランジスタ等を備えている。【０００３】
有機ＥＬディスプレイの製造工程には、有機ＥＬパネルに対する検査等が含まれる。【０００４】
有機ＥＬパネルに対する検査には、例えば、有機ＥＬパネルへのドライバの実装後、有機ＥＬパネルの輝度ムラ（発光量のムラ）を検出し補正する点灯検査がある。輝度ムラは、全ての発光画素に同じ輝度信号を与えた場合に、全ての発光画素の発光量が均一にならず、ムラが発生する現象を指す。【０００５】
点灯検査において、輝度ムラは、例えば、有機ＥＬパネルを実際に点灯させ、撮像装置を用いて有機ＥＬパネルを撮影し、撮像装置から撮像画像上の輝度値（発光量に対応）を求めることにより、検出できる（例えば、特許文献１参照）。【０００６】
輝度ムラの検出後、例えば、発光画素のそれぞれについて、撮像画像上の輝度値（発光量に対応）を用い、発光量が所定の発光量となるように、輝度信号の補正量を求める。これにより、有機ＥＬパネル組み立て後の製品における輝度ムラを低減することが可能になる。所定の発光量は、例えば、予め定められた固定値、あるいは、平均値等である。
【先行技術文献】
【特許文献】
【０００７】
【特許文献１】特開２００６−５８０８３号公報
【発明の概要】
【発明が解決しようとする課題】
【０００８】
しかしながら、有機ＥＬパネルの製造工程において、上述した点灯検査のように、撮像装置を用いて有機ＥＬパネルの撮影を行う場合、検査等をより良好に実施するために、撮像装置と有機ＥＬパネルとの相対位置をより良好に合わせることが望まれている。【０００９】
そこで、本開示は、撮像装置と有機ＥＬパネルとの相対位置をより良好に合わせることができる有機ＥＬ表示装置の製造方法および検査装置を提供する。
【課題を解決するための手段】
【００１０】
本開示の一態様に係る有機ＥＬ表示装置の製造方法は、発光素子を備えた複数の発光画素を有する表示パネルを備えた有機ＥＬ表示装置の製造方法であって、前記複数の発光画素のうちの一部に設定された点灯対象画素を点灯させるステップと、撮像装置を用いて前記表示パネルを撮影し、前記撮像装置から撮像画像を受け付けるステップと、前記撮像画像を用いて前記点灯対象画素の検出を行うステップと、前記点灯対象画素の検出結果を用いて、前記点灯対象画素に、検出できない非検出画素が含まれるか否かを判定するステップと、前記非検出画素が含まれると判定された場合に、前記点灯対象画素の検出を行うステップにおいて検出される発光量となるように前記非検出画素の発光量を増大させるステップと、前記点灯対象画素の前記検出結果を用いて、前記有機ＥＬ表示装置と前記撮像装置との相対位置を合わせるステップとを含む。
【発明の効果】
【００１１】
本開示の有機ＥＬ表示装置の製造方法および検査装置は、撮像装置と有機ＥＬパネルとの相対位置をより良好に合わせることができる。
【図面の簡単な説明】
【００１２】
【図１Ａ】図１Ａは、有機ＥＬパネル（部品）の輝度ムラの一例を示す図である。
【図１Ｂ】図１Ｂは、有機ＥＬパネルのアライメントにおける撮像装置のレンズ収差の影響の一例を示す図である。
【図１Ｃ】図１Ｃは、有機ＥＬパネルのアライメントにおける撮像装置のレンズ収差の影響の一例を示す図である。
【図２】図２は、ドライバ実装後の有機ＥＬパネルの一例を示す図である。
【図３】図３は、発光画素の構成の一例を示す図である。
【図４】図４は、実施の形態における検査装置の構成の一例を示すブロック図である。
【図５】図５は、撮像装置および有機ＥＬパネルの位置関係を示す模式図である。
【図６】図６は、実施の形態における有機ＥＬパネルの点灯検査の処理手順の一例を示すフローチャートである。
【図７】図７は、点灯対象画素の設定の一例を示す図である。
【発明を実施するための形態】
【００１３】
（本開示の基礎となった知見）
本発明者らは、「背景技術」の欄において記載した、撮像装置と有機ＥＬパネルとの相対位置を合わせること（以下、適宜「アライメント」と称する）に関し、以下の問題が生じることを見出した。
【００１４】
例えば、液晶ディスプレイ等では、バックライトを用いることから、発光画素毎の輝度ムラはあまり問題にならないが、有機ＥＬディスプレイ（有機ＥＬ表示装置）では、各発光画素に有機ＥＬ素子を用いているため、輝度ムラが比較的問題になる傾向がある。
【００１５】
図１Ａは、有機ＥＬパネルの輝度ムラの一例を示す図である。図１Ａの有機ＥＬパネルは、図面右側の発光量が大きく、図面左側の発光量が比較的小さくなっている。
【００１６】
このため、有機ＥＬディスプレイでは、例えば、全ての発光画素の発光量をそろえるための点灯検査を実施している。点灯検査では、上述したように、有機ＥＬパネルの輝度ムラを検出し、全ての発光画素に同じ輝度信号を与えた場合において、全ての発光画素の発光量が同じ量となるように、発光画素別の輝度信号の補正量を求め、有機ＥＬディスプレイに搭載されるＩＣ（Ｉｎｔｅｇｒａｔｅｄ  Ｃｉｒｃｕｉｔ）に記憶する。
【００１７】
ここで、点灯検査では、上述したように、有機ＥＬパネルを撮影することにより、輝度ムラを検出する。
【００１８】
有機ＥＬパネルの撮影には、例えば、複数の受光素子を備えるＣＣＤ（Ｃｈａｒｇｅ−Ｃｏｕｐｌｅｄ  Ｄｅｖｉｃｅ）を備えた撮像装置が用いられる。
【００１９】
有機ＥＬパネルを良好に撮影するためには、ＣＣＤを有機ＥＬパネルに対して適切にアライメントする必要がある。アライメントでは、例えば、有機ＥＬパネルを構成する発光画素のそれぞれに、１個の受光素子を対応させる。言い換えると、１つの受光素子に複数の発光画素が対応しないようにアライメントする。
【００２０】
アライメントでは、アライメントマークを検出し、アライメントマークの位置が所定の位置にくるように、ＣＣＤの位置を決定している。
【００２１】
ここで、従来、アライメントマークとして、有機ＥＬパネル上に形成された特定のパターンが用いられている。しかし、近年、ディスプレイの分野では、有機パネルの額縁部分が小さくなる傾向にあり、特定のパターンを形成する領域が確保できないという問題がある。
【００２２】
このため、有機ＥＬパネルを構成する複数の発光画素のうち、四隅に位置する４つの発光画素を点灯対象画素として点灯させてアライメントマークとする方法がある。この場合、実際の発光画素をアライメントマークとして利用することから、有機ＥＬパネル上に特定のパターンを形成する場合よりも高精度にアライメントできると考えられる。
【００２３】
ここで、点灯検査は、有機ＥＬパネルの発光量の補正前に、発光量の補正量を求めるための処理で行われるため、点灯対象画素の輝度ムラは解消されていない。さらに、点灯対象画素を用いたアライメントでは、点灯対象画素に対し、大きい電流を流すことは好ましくないため、輝度信号は、輝度値の最大値ではなく、ある程度の大きさの輝度値（例えば、中間値）としている。
【００２４】
そうすると、他の点灯対象画素に比べて暗い点灯対象画素がある場合、点灯対象画素の全てに同じ輝度信号を与えた場合、撮像装置から出力される撮像画像において、検出できない点灯対象画素（非検出画素）が生じる場合がある。例えば、四隅に位置する４つの発光画素を点灯対象画素として点灯させる場合、図１Ａでは、左上および左下の２つの点灯対象画素の発光量が不足しており、当該２つの点灯対象画素を検出できない場合がある。
【００２５】
撮像画像から点灯対象画素を検出できない場合、アライメントを適切に行うことができなくなるという問題がある。
【００２６】
このような問題を解決するために、本開示の一態様に係る有機ＥＬ表示装置の製造方法は、発光素子を備えた複数の発光画素を有する表示パネルを備えた有機ＥＬ表示装置の製造方法であって、前記複数の発光画素のうちの一部に設定された点灯対象画素を点灯させるステップと、撮像装置を用いて前記表示パネルを撮影し、前記撮像装置から撮像画像を受け付けるステップと、前記撮像画像を用いて前記点灯対象画素の検出を行うステップと、前記点灯対象画素の検出結果を用いて、前記点灯対象画素に、検出できない非検出画素が含まれるか否かを判定するステップと、前記非検出画素が含まれると判定された場合に、前記点灯対象画素の検出を行うステップにおいて検出される発光量となるように前記非検出画素の発光量を増大させるステップと、前記点灯対象画素の前記検出結果を用いて、前記有機ＥＬ表示装置と前記撮像装置との相対位置を合わせるステップとを含む。
【００２７】
上記構成の有機ＥＬ表示装置の製造方法では、検出できない点灯対象画素である非検出画素がある場合、当該非検出画素の発光量を、撮影画像上で検出できる発光量となるように増加させる。これにより、全ての点灯対象画素を検出することが可能になり、アライメントを良好に行うことが可能になる。
【００２８】
さらに、上記構成の有機ＥＬ表示装置の製造方法では、アライメントを良好に行うことができるため、表示装置における輝度値の補正をより適切に行うことが可能になり、表示装置の映像品質の向上が期待できる。
【００２９】
例えば、前記点灯対象画素を点灯させるステップでは、前記表示パネルの四隅に位置する４つの第一発光画素に加え、前記表示パネルの外周以外に位置する発光画素を追加の点灯対象画素として設定してもよい。この場合において、例えば、前記点灯対象画素を点灯させるステップでは、前記表示パネルの大きさよりも小さい長方形を前記表示パネルの中央に設定した場合に、前記長方形の四隅の少なくとも何れか１点に位置する第二発光画素を前記追加の点灯対象画素として設定してもよいし、前記点灯対象画素を点灯させるステップでは、前記表示パネルに十字を設定した場合に、前記十字上に位置する任意の第三発光画素を前記追加の点灯対象画素として設定してもよい。
【００３０】
例えば、一般的に、撮像装置のレンズには収差（例えば、歪曲収差）がある。
【００３１】
図１Ｂは、レンズ収差の一例を示す図である。図１Ｃは、レンズ収差の一例を線画で示した図である。図１Ｂおよび図１Ｃに示す例では、有機ＥＬパネルの四隅に位置する発光画素について、撮影画像上の実際の検出位置と検出されるべき位置との間に位置ずれが生じていない場合でも、有機ＥＬパネルの中央部分では、位置ずれが生じている可能性がある。近年、大型の有機ＥＬパネルが製造されるようになってきているが、大型の有機ＥＬパネルでは、撮像装置のレンズ収差の影響が、比較的小型の有機ＥＬパネルに比べてより大きくなる。
【００３２】
なお、従来は、有機ＥＬパネルの四隅に位置する発光画素のみを点灯対象画素としており、中央部分の位置ずれについては考慮されていなかった。このため、有機ＥＬパネルの中央部分において位置ずれが生じる場合があるという問題があった。
【００３３】
これに対し、上記構成の有機ＥＬ表示装置の製造方法では、表示装置の中央の領域についても、点灯対象画素を設定するので、レンズ収差に対応してアライメントをより良好に行うことが可能になる。
【００３４】
例えば、前記判定するステップでは、前記撮像画像における輝度値が所定の閾値以下である点灯対象画素を、前記非検出画素であると判定してもよい。
【００３５】
上記構成の有機ＥＬ表示装置の製造方法では、閾値を適切に設定することにより、点灯対象画素を適切に検出することができる。
【００３６】
例えば、前記非検出画素の発光量を増大させるステップでは、前記非検出画素の輝度値を予め定められた一定量増加させ、前記判定するステップにおいて前記非検出画素がないと判定されるまで、前記発光量を増大させるステップと前記撮像画像を受け付けるステップと前記点灯対象画素を検出するステップと判定するステップとをこの順に繰り返し実行してもよい。
【００３７】
上記構成の有機ＥＬ表示装置の製造方法では、全ての点灯対象画素が検出できる、言い換えると、非検出画素が無くなるまで、一定の幅で輝度信号を増加させるので、検査装置の装置構成（プログラムの構成）を簡素化することが可能になる。
【００３８】
例えば、前記相対位置を合わせるステップは、前記判定するステップにおいて前記非検出画素がないと判定された後に実行してもよい。
【００３９】
上記構成の有機ＥＬ表示装置の製造方法では、全ての点灯対象画素が検出された後にアライメントを行うので、アライメントを良好に実行することが可能になる。
【００４０】
例えば、前記相対位置を合わせるステップでは、前記撮像画像において前記点灯対象画素が実際に検出された位置と、前記撮像画像における前記点灯対象画素の検出されるべき位置との間のずれ量が、前記点灯対象画素全体で最小となるように、前記相対位置を決定してもよい。
【００４１】
上記構成の有機ＥＬ表示装置の製造方法では、撮影画像上における点灯対象画素の実際の検出位置と検出されるべき位置との間のずれ量が、点灯対象画素全体で最小となるように相対位置を合わせるので、適切なアライメントが可能になる。
【００４２】
なお、点灯対象画素全体で最小となるように相対位置を合わせるとは、例えば、点灯対象画素の実際の検出位置と検出されるべき位置との間のずれ量が、全ての発光画素で同じになる、あるいは、点灯対象画素の実際の検出位置と検出されるべき位置との間の２乗平均誤差が最小となるように、有機ＥＬパネルに対する撮像装置の位置を決定する等である。
【００４３】
例えば、さらに、前記非検出画素の発光量を増大させるステップにおいて発光量が最大値まで増大された後に、前記判定するステップにおいて検出できないと判定された前記非検出画素について、代理の点灯対象画素を設定するステップを含み、前記代理の点灯対象画素に対し、前記発光量を増大させるステップと前記撮像画像を受け付けるステップと前記点灯対象画素を検出するステップと判定するステップとを実行してもよい。
【００４４】
このように構成すれば、非検出画素が点灯しない不点灯画素である場合でも、アライメントを精度良く行うことが可能になる。
【００４５】
このような問題を解決するために、本開示の一態様に係る有機ＥＬ表示装置の検査装置は、発光素子を備えた複数の発光画素を有する表示パネルを備えた有機ＥＬ表示装置の検査装置であって、前記複数の発光画素のうちの一部に設定された点灯対象画素を点灯させる信号生成部と、撮像装置を用いて前記表示パネルを撮影し、前記撮像装置から撮像画像を受け付ける撮像部と、前記撮像画像を用いて前記点灯対象画素の検出を行い、前記点灯対象画素の検出結果を用いて、前記点灯対象画素に、検出できない非検出画素が含まれるか否かを判定する点灯対象画素検出部と、前記点灯対象画素の前記検出結果を用いて、前記有機ＥＬ表示装置と前記撮像装置との相対位置を合わせるアライメント部とを備え、前記信号生成部は、前記点灯対象画素検出部において前記非検出画素が含まれると判定された場合に、前記点灯対象画素検出部において検出される発光量となるように前記非検出画素の発光量を増大させる。
【００４６】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００４７】
以下、実施の形態について、図面を参照しながら具体的に説明する。
【００４８】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００４９】
（実施の形態）
実施の形態の有機ＥＬディスプレイ（有機ＥＬ表示装置）の製造方法および検査装置について、図２〜図７を基に説明する。
【００５０】
本実施の形態では、有機ＥＬディスプレイの製造方法を、特に、有機ＥＬディスプレイの複数の製造工程のうち、有機ＥＬディスプレイを構成する部品である有機ＥＬパネル（表示パネルの一例）の点灯検査に適用する場合について説明する。
【００５１】
点灯検査では、点灯対象画素を用いて撮像装置のアライメントを行うアライメント処理と、アライメント処理後、発光画素の発光量を均一にするための輝度信号の補正量を求める補正処理とが実行される。これにより、有機ＥＬディスプレイの組み立て後の製品における輝度ムラを低減することが可能になる。
【００５２】
［１．ドライバ実装後の有機ＥＬパネルの構成］
図２は、ドライバ実装後の有機ＥＬパネル（部品）の一例を示す図である。図２に示すように、本実施の形態の有機ＥＬパネル１０は、行列状に配置された複数の発光画素Ｐを備えている。発光画素Ｐは、それぞれ、例えば、Ｒ（赤）Ｇ（緑）Ｂ（青）の３原色に対応している。なお、対応する色は、３原色に限られるものではない。
【００５３】
有機ＥＬパネル１０には、ドライバ２０として、データ線駆動回路２１および走査線駆動回路２２が形成されたＣＯＦ（Ｃｈｉｐ  ｏｎ  Ｆｉｌｍ）が接続されている。なお、ドライバは、ＣＯＦに限るものではない。
【００５４】
データ線駆動回路２１は、入力された輝度信号に応じた値の電圧をデータ線ＳＬに印加する。
【００５５】
走査線駆動回路２２は、発光画素Ｐの選択および非選択を設定するための電圧を走査線ＧＬに印加する。
【００５６】
図３は、発光画素Ｐの構成の一例を示す図である。図３に示すように、発光画素Ｐは、本実施の形態では、有機ＥＬ素子ＯＥＬと、選択トランジスタＴ１と、駆動トランジスタＴ２と、容量素子Ｃ１とを備えている。
【００５７】
選択トランジスタＴ１は、発光画素Ｐの選択および非選択を切り替える。選択トランジスタＴ１は、薄膜トランジスタ（ＴＦＴ：Ｔｈｉｎ  Ｆｉｌｍ  Ｔｒａｎｓｉｓｔｏｒ）であり、ゲート端子が走査線ＧＬに、ソース端子がデータ線ＳＬに、ドレイン端子がノードＮ１にそれぞれ接続されている。
【００５８】
駆動トランジスタＴ２は、データ線ＳＬの電圧値に応じた駆動電流を有機ＥＬ素子ＯＥＬに供給する。駆動トランジスタＴ２は、薄膜トランジスタであり、ゲート端子がノードＮ１に、ソース端子が有機ＥＬ素子ＯＥＬのアノード電極にそれぞれ接続され、ドレイン端子に電圧ＶＴＦＴが供給されている。
【００５９】
有機ＥＬ素子ＯＥＬは、駆動電流に応じて発光する発光素子である。駆動電流は、駆動トランジスタＴ２から供給される。有機ＥＬ素子ＯＥＬは、アノード電極が駆動トランジスタＴ２のソース端子に接続され、カソード電極が接地されている。
【００６０】
容量素子Ｃ１は、一端がノードＮ１に、他端が駆動トランジスタＴ２のドレイン端子に接続されている。
【００６１】
ドライバ２０実装後の有機ＥＬパネル１０の点灯検査は、有機ＥＬパネル１０のドライバ２０に接続された検査装置３０（図４参照）によって実行される。
【００６２】
［２．検査装置］
図４は、検査装置３０の構成の一例を示すブロック図である。図４に示すように、検査装置３０は、画像処理部３１と、信号生成部３５と、撮像部３６と、アライメント部３７と、撮像装置４０と、パネル移動機構５０と、撮像装置移動機構６０とを備えている。
【００６３】
画像処理部３１は、点灯対象画素検出部３２と、光量検出部３３と、補正量算出部３４とを備えている。画像処理部３１の詳細な動作については、後述する。
【００６４】
信号生成部３５は、有機ＥＬパネル１０のドライバ２０と通信を行うインターフェースである。信号生成部３５の詳細な動作については後述する。
【００６５】
撮像部３６は、撮像装置４０の制御（撮影および画像取得要求）を行う。撮像部３６の詳細な動作については、後述する。
【００６６】
アライメント部３７は、パネル移動機構５０および撮像装置移動機構６０を制御して、有機ＥＬパネル１０に対する撮像装置４０のアライメントを行う。アライメント部３７の詳細な動作については、後述する。
【００６７】
撮像装置４０は、本実施の形態では、複数の受光素子を備えるＣＣＤである。なお、撮像装置４０は、ＣＣＤに限られるものではない。
【００６８】
図５は、撮像装置４０および有機ＥＬパネル１０の位置関係および移動方法を示す模式図である。図５では、説明のため、Ｘ軸Ｙ軸Ｚ軸が垂直に交差するように記載しているが、必ずしも直交していなくてもよい。
【００６９】
撮像装置４０は、図５の場合、初期状態では、有機ＥＬパネル１０の上方に、レンズに直交する軸がＺ軸に平行となる状態で、有機ＥＬパネル１０側にレンズを向けて配置されている。
【００７０】
パネル移動機構５０は、検査装置３０に載置された有機ＥＬパネル１０を移動させる機構である。図５に示すように、パネル移動機構５０は、有機ＥＬパネル１０をＸＹ平面に水平に維持した状態で、Ｘ軸方向およびＹ軸方向に移動させることができる。さらに、パネル移動機構５０は、有機ＥＬパネル１０を、ＸＹ平面の方向上で回転させることができる。アライメント部３７は、Ｘ軸方向およびＹ軸方向の移動量、および、角度θｘｙを決定し、パネル移動機構５０に出力する。
【００７１】
撮像装置移動機構６０は、撮像装置４０を移動させる機構である。図５に示すように、撮像装置移動機構６０は、撮像装置４０を、Ｚ軸に垂直な方向に移動させることができる。さらに、撮像装置移動機構６０は、ＸＺ平面に水平な方向（θｘｚの方向）、および、ＹＺ平面に水平な方向（θｘｚの方向）に傾ける（回転させる）ことができる。アライメント部３７は、Ｚ軸方向の移動量、角度θｘｚおよび角度θｙｚを決定し、撮像装置移動機構６０に出力する。
【００７２】
なお、検査装置３０の各構成要素（画像処理部３１、信号生成部３５、撮像部３６、および、アライメント部３７）は、専門のハードウェアによって構成されてもよい。あるいは、検査装置３０の各構成要素は、ＣＰＵ（Ｃｅｎｔｒａｌ  Ｐｒｏｃｅｓｓｉｎｇ  Ｕｎｉｔ）またはプロセッサ等のプログラム実行部が、ハードディスクまたは半導体メモリ等の記録媒体に記録されたソフトウェアプログラムを読み出して実行することによって実現されてもよい。
【００７３】
［３．ドライバ実装後の有機ＥＬパネルの点灯検査］
ドライバ２０実装後の有機ＥＬパネル１０の点灯検査（有機ＥＬディスプレイの製造方法）について、図６を基に説明する。
【００７４】
図６は、上述した有機ＥＬパネルの点灯検査の処理手順の一例を示すフローチャートである。なお、図６において、Ｓ１０〜Ｓ１５がアライメント処理であり、Ｓ１６〜Ｓ１９が、有機ＥＬパネル１０の光量を均一にするための補正処理である。
【００７５】
また、本実施の形態では、検査装置３０は、大型の有機ＥＬパネル１０の場合、大型の有機ＥＬパネル１０の発光画素Ｐを、約同じ大きさの９つ（３×３）の長方形の領域に分割する。そして、検査装置３０は、各領域を順次処理対象の領域に設定して、処理対象の領域に対し図６に示す処理を実行する。
【００７６】
点灯検査が開始されると、検査装置３０の信号生成部３５は、点灯対象画素を点灯させるためのアライメント用信号を有機ＥＬパネル１０のドライバ２０に出力する（Ｓ１０）。初期のアライメント用信号は、全ての点灯対象画素で同じである。なお、アライメント用信号の初期値は、有機ＥＬ素子ＯＥＬ（図３）に流れる電流量の観点から、最大値ではなく、例えば、取り得る輝度値の範囲の中央値等とする。
【００７７】
本実施の形態では、点灯対象画素として、有機ＥＬパネル１０の四隅に位置する４つの発光画素Ｐ１を点灯対象画素としている。さらに、本実施の形態では、有機ＥＬパネル１０の外周以外に位置する発光画素Ｐを追加の点灯対象画素として設定している。
【００７８】
図７は、点灯対象画素の設定の一例を示す図である。図７では、説明のため、有機ＥＬパネル１０全体ではなく、処理対象の領域を示している。図７では、処理対象の領域の四隅に位置する４つの発光画素Ｐ１と、長方形の四隅に位置する発光画素Ｐ２と、十字状に並ぶ発光画素Ｐ３とが点灯対象画素に設定されている。発光画素Ｐ２およびＰ３が追加の点灯対象画素である。
【００７９】
より詳細には、発光画素Ｐ２は、有機ＥＬパネル１０の大きさよりも小さい長方形Ｌ２を有機ＥＬパネル１０の中央に設定した場合に、長方形Ｌ２の四隅に位置する４つの発光画素である。
【００８０】
発光画素Ｐ３は、中心が有機ＥＬパネル１０の中心に一致する十字Ｌ３を設定した場合に、当該十字Ｌ３が通過し有機ＥＬパネル１０の枠に接する４つの発光画素と、十字Ｌ３と長方形Ｌ２とが通過する４つの発光画素とで構成されている。
【００８１】
発光画素Ｐ１、Ｐ２、Ｐ３のように点灯対象画素を設定し、それぞれの画素が、対応するＣＣＤの受光素子とのずれ量が最小となるようにアライメントすることで、撮像装置４０のレンズ収差の影響を低減することが可能になる。
【００８２】
なお、複数の長方形が設定されるように構成してもよいし、複数の十字が設定されるように構成してもよい。撮像装置に搭載されるレンズの種類等に応じて、適切に点灯対象画素を設定する。
【００８３】
撮像部３６は、撮像装置４０を制御して、有機ＥＬパネル１０を撮影する（Ｓ１１）。撮像部３６は、有機ＥＬパネル１０を構成する複数の発光画素Ｐのうち、処理対象の複数の発光画素Ｐ全体を撮影する。また、撮像部３６は、点灯対象画素の点灯中、つまり、信号生成部３５によるアライメント用信号の出力中に、撮像装置４０に有機ＥＬパネル１０を撮影させる。撮像部３６は、撮像装置４０から撮像画像を受け付けると、点灯対象画素検出部３２に撮像画像を出力する。
【００８４】
点灯対象画素検出部３２は、撮像部３６から撮像画像を受け付けると、当該撮像画像から点灯対象画素を検出する（Ｓ１２）。具体的には、点灯対象画素検出部３２は、例えば、撮像画像から、撮像画像における各画素の輝度値を求め、輝度値が所定の閾値よりも大きい発光画素Ｐ（検出画素）を特定する。
【００８５】
点灯対象画素検出部３２は、非検出画素があるか否かを判定する（Ｓ１３）。非検出画素があるか否かの判定は、例えば、検出画素の個数が、設定された点灯対象画素の個数と一致するか否かにより行う。
【００８６】
非検出画素があると判定した場合（Ｓ１３で「有り」）、点灯対象画素検出部３２は、非検出画素を特定し、当該非検出画素の情報を信号生成部３５に出力する。
【００８７】
非検出画素の特定は、例えば、以下の方法により行う。点灯対象画素検出部３２は、予め、撮影画像上における点灯対象画素の検出されるべき位置を示す情報を取得しておく。点灯対象画素検出部３２は、例えば、撮影画像における検出画素の位置から、検出画素がどの点灯対象画素に対応するかを特定する。具体的には、例えば、検出されるべき位置のうち、特定対象の検出画素から最も近い位置にある検出されるべき位置に対応する点灯対象画素を、現在の特定対象の検出画素に対応する点灯対象画素として特定してもよい。あるいは、検出されるべき位置から所定の範囲内にある検出画素を、当該検出されるべき位置に対応する点灯対象画素に対応する検出画素として特定してもよい。
【００８８】
点灯対象画素検出部３２は、点灯対象画素のうち、対応する検出画素がないと判定された点灯対象画素を非検出画素とし、当該非検出画素を特定する情報、例えば、当該非検出画素の有機ＥＬパネル１０上の座標等の情報を信号生成部３５に出力する。
【００８９】
信号生成部３５は、非検出画素の位置情報を受け付けると、当該非検出画素の発光量を増大させるように、アライメント用信号を補正する（Ｓ１４）。これにより、有機ＥＬパネル１０の非検出画素の発光量が増大することになる。なお、発光量の増大量は、本実施の形態では、一定量である。言い換えると、アライメント用信号の輝度値の増加幅が一定である。
【００９０】
アライメント用信号の補正の後、有機ＥＬパネル１０の撮影（Ｓ１１）に移行する。ステップＳ１３において、非検出画素が無いと判定されるまで、有機ＥＬパネル１０の撮影（Ｓ１１）、点灯対象画素の検出（Ｓ１２）および非検出画素の判定（Ｓ１３）を繰り返し実行する。
【００９１】
点灯対象画素検出部３２は、非検出画素がないと判定した場合（Ｓ１３で「無し」）、アライメント部３７に対し、アライメントを行うために必要な情報を出力する。アライメントを行うために必要な情報は、例えば、全ての点灯対象画素の撮像画像上における位置情報である。
【００９２】
アライメント部３７は、ＣＣＤの位置を調整する（Ｓ１５）。アライメント部３７は、例えば、撮像画像において実際に検出された点灯対象画素の位置と検出されるべき位置との間のずれ量が、全ての発光画素Ｐで均一になるように設定する。より詳細には、アライメント部３７は、例えば、距離のピーク値が最小となるように、あるいは、距離の２乗平均誤差が最小となるように、ＣＣＤのＺ軸方向の位置、角度θｘｚおよび角度θｙｚ、および、有機ＥＬパネル１０の回転角度θｘｙ、Ｘ軸方向およびＹ軸方向の位置を求める。そして、撮像装置移動機構６０およびパネル移動機構５０に、ＣＣＤおよび有機ＥＬパネル１０を移動させるための情報を出力する。
【００９３】
信号生成部３５は、アライメント後、有機ＥＬパネル１０に対し、有機ＥＬパネル１０の光量を測定するための検査用信号を出力する（Ｓ１６）。
【００９４】
撮像部３６は、信号生成部３５により検出用信号が出力されると、撮像装置４０に有機ＥＬパネル１０を撮影させ、撮像画像を取得する（Ｓ１７）。撮像部３６は、撮像装置４０から撮像画像を受け付けると、光量検出部３３に撮像画像を出力する。
【００９５】
光量検出部３３は、撮像画像を受け付けると、撮像画像を用いて、有機ＥＬパネル１０を構成する発光画素Ｐそれぞれの光量の算出する（Ｓ１８）。具体的には、撮像画像の各画素の輝度値を、各画素に対応する発光画素Ｐの発光量として求める。なお、１つの発光画素Ｐに複数の画素が対応している場合には、平均値あるいは中央値等を発光量として求めてもよい。
【００９６】
補正量算出部３４は、発光量情報を用いて輝度信号の補正量を求める（Ｓ１９）。
【００９７】
［４．効果等］
上記実施の形態の有機ＥＬディスプレイの製造方法では、撮像装置のアライメントにおいて、点灯対象画素が検出できない場合に、当該点灯対象画素の輝度信号（アライメント用信号）を発光量が増大するように補正するので、点灯対象画素をより良好に検出することが可能になる。
【００９８】
また、点灯対象画素が検出できるまで、発光量を順次増大させるように構成すれば、より確実に点灯対象画素を検出することが可能になる。
【００９９】
さらに、上記実施の形態の有機ＥＬディスプレイの製造方法では、点灯対象画素を、処理対象の領域の四隅だけでなく、長方形Ｌ２の四隅、および、十字Ｌ３上にも設定したので、撮像装置４０のレンズ収差の影響を低減することが可能になる。
【０１００】
（その他の実施の形態）
（１）上記実施の形態では、撮像装置４０および有機ＥＬパネル１０を位置決めした後（Ｓ１５）、有機ＥＬパネルの点灯（Ｓ１６）〜輝度信号の補正（Ｓ１９）を実行しているが、これに限るものではない。アライメント後（Ｓ１５）、再度、点灯対象画素のみを点灯させて有機ＥＬパネル１０を撮影し、アライメントが正常に行われたかを確認するように構成してもよい。
【０１０１】
（２）上記実施の形態では、有機ＥＬパネル１０の発光画素Ｐを３×３の９つの領域に分割し、各領域について図６に示す処理を実行したが、これに限るものではない。分割数は、有機ＥＬディスプレイの大きさに応じて任意に設定してよい。
【０１０２】
また、有機ＥＬパネルの発光画素Ｐを分割せず、撮像装置４０が１度の撮影で全ての発光画素Ｐを撮影するように構成してもよい。この場合、撮像装置４０として、解像度（受光素子の数）が、検査装置３０で検査できる最大の精度を持つ有機ＥＬパネル１０の発光画素Ｐの数よりも多い撮像装置が選択される。これにより、１度の撮影で、有機ＥＬパネル１０の全ての発光画素Ｐを検査することが可能になる。
【０１０３】
さらに、上記実施の形態において、長方形Ｌ２の四隅の少なくとも一つは、例えば、複数サイズの有機ＥＬパネルの点灯検査を行うことが可能な場合に、最大サイズを除く他のサイズの有機ＥＬパネル１０の四隅の一つの位置に合わせて設定されてもよい。
【０１０４】
例えば、６０インチの有機ＥＬパネル１０と、５０インチの有機ＥＬパネル１０とを検査可能な場合、５０インチの有機ＥＬパネル１０の左上の発光画素Ｐと、長方形Ｌ２の左上とが一致するように設定してもよい。同様に、５０インチの有機ＥＬパネル１０の右上、左下、右下の発光画素Ｐと、長方形Ｌ２の右上、左下、右下が一致するように、長方形Ｌ２の大きさおよび位置を設定してもよい。
【０１０５】
（３）上記実施の形態では、（ａ）四隅の発光画素Ｐと（ｂ）小さい長方形の四隅の発光画素Ｐと（ｃ）十字状に並んだ発光画素Ｐとを、同時に撮影しアライメント（Ｓ１０〜Ｓ１５）したが、順次、撮影およびアライメントを実行するように構成してもよい。つまり、（ａ）四隅の発光画素Ｐに対する撮影からアライメント（Ｓ１０〜Ｓ１５）までの処理の後、（ｂ）小さい長方形の四隅の発光画素Ｐあるいは（ｃ）十字状に並んだ発光画素Ｐに対する処理を実行してもよい。
【０１０６】
（４）上記実施の形態では、点灯検査におけるアライメントについて例示したが、これに限るものではない。例えば、滅点の検査等、点灯検査前（発光量の補正前）に行われる製造工程であって、撮像装置を用いる他の製造工程に適用してもよい。
【０１０７】
（５）上記実施の形態において、図６に示す点灯検査では、非検出画素が無くなるまでステップＳ１１〜Ｓ１４を繰り返し実行した。
【０１０８】
ここで、例えば、アライメント用信号が最大値に設定された場合でも非検出画素が生じる場合等には、代理の点灯対象画素を設定してもよい。代理の点灯対象画素は、例えば、非検出画素の隣接画素であってもよい。
【０１０９】
この場合、代理の点灯対象画素に対し、ステップＳ１１〜Ｓ１４を繰り返し実行しても良い。また、複数の代理の点灯対象画素を用意してもよい。この場合、検出可能な発光画素が見つかるまで、優先順位に従って代理の点灯対象画素を順次選択するように構成してもよい。
【０１１０】
（６）なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１１】
以上、一つまたは複数の態様に係る有機ＥＬ表示装置の製造方法について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０１１２】
本開示は、有機ＥＬ表示装置の製造方法として利用可能である。
【符号の説明】
【０１１３】
１０    有機ＥＬパネル
２０    ドライバ
２１    データ線駆動回路
２２    走査線駆動回路
３０    検査装置
３１    画像処理部
３２    点灯対象画素検出部
３３    光量検出部
３４    補正量算出部
３５    信号生成部
３６    撮像部
３７    アライメント部
４０    撮像装置
５０    パネル移動機構
６０    撮像装置移動機構
Ｐ、Ｐ１、Ｐ２、Ｐ３  発光画素
ＧＬ    走査線
ＳＬ    データ線
Ｔ１    選択トランジスタ
Ｔ２    駆動トランジスタ
ＯＥＬ  有機ＥＬ素子
Ｃ１    容量素子
Ｎ１    ノード
【図１Ａ】
2015056365.tif 000003
【図１Ｂ】
2015056365.tif 000004
【図１Ｃ】
2015056365.tif 000005
【図２】
2015056365.tif 000006
【図３】
2015056365.tif 000007
【図４】
2015056365.tif 000008
【図５】
2015056365.tif 000009
【図６】
2015056365.tif 000010
【図７】
2015056365.tif 000011
【国際調査報告】
2015056365.tif 000012
2015056365.tif 000013